(57)【要約】【課題】一定の帯電周波数では全ての原稿で濃度むらの発生を抑えることができないのはもちろん、それぞれの網点パターンの周期に対応した帯電周波数を設定することも困難である。【解決手段】接触帯電方式の画像処理装置において、網点検出回路２０をスクリーン処理回路１８よりも上流側に設け、スクリーン処理が施される前の画像データから原稿画像の周波数（網点構造）、即ち網点ピッチ（網点パターンの持つ周期）を検出し、その検出した原稿画像の周波数に基づいて、当該原稿画像の周波数（網点ピッチ）とスクリーン処理の周期性（スクリーン周波数）と帯域周波数との干渉により発生する濃度むら（モアレ）のピッチが小さくなるように帯電周波数を決定する。【選択図】        図１
2005012624.tif 000002
【特許請求の範囲】
【請求項１】
帯電周波数が可変な帯電手段を有する画像出力手段と、
前記画像出力手段で出力する画像データに対してスクリーン処理を施すスクリーン処理手段と、
前記スクリーン処理手段でスクリーン処理される前の原稿画像の画像データから当該原稿画像の周波数を検出する検出手段と、
前記検出手段で検出した原稿画像の周波数に基づいて、当該原稿画像の周波数と前記スクリーン処理手段のスクリーン周波数と前記耐電手段の周波数との干渉により発生する濃度むらのピッチが小さくなるように帯電周波数を決定して前記帯電手段に設定する帯電周波数決定手段と
を備えることを特徴とする画像処理装置。
【請求項２】
原稿画像を絵柄部と文字部とに識別し、その識別結果を後段の前記スクリーン処理手段に渡すとともに、網点を検出する機能を持つ絵文字分離手段を有し、前記絵文字分離手段を前記検出手段として用いた
ことを特徴とする請求項１記載の画像処理装置。
【発明の詳細な説明】
【０００１】
【発明の属する技術分野】
本発明は、画像処理装置に関し、特に帯電ロールを感光体の表面に接触させて帯電させる接触帯電方式の画像処理装置に関する。
【０００２】
【従来の技術】
電子写真方式の画像処理装置においては、種々の要因により出力画像にモアレなどの干渉縞が発生することがある。一般的に、モアレは原稿画像の周波数（網点構造）と出力装置のスクリーン周波数の干渉によって発生する。具体的には、原稿画像を読み取った中間調の網点画像や、外部から入力された画像に存在する疑似中間調領域などにおける網点パターンの周期と、画像形成時に施すスクリーン処理時の周期とが干渉し合ってモアレが発生する。
【０００３】
この出力画像に発生するモアレを回避するために、あらゆる周波数帯域を含む画像に対して周期画像の領域判定を行い、画像データにアフィン変換処理を施すことによって周期性を低減するようにしていた（例えば、特許文献１参照）。
また、近年、環境面の観点から主流となっている接触帯電方式の画像処理装置において、入力画像中の網点パターンの周期と感光体の帯電むら周期との干渉により発生するモアレを回避するために、帯電器の周波数（帯電周波数）をスクリーン周波数との干渉により発生するモアレの間隔が出力画像に影響を与えないほどに大きくなるように決定していた（例えば、特許文献２参照）。
【０００４】
【特許文献１】
特開２０００−３５８１５６号公報
【特許文献２】
特開２００１−２８１９４５号公報
【０００５】
【発明が解決しようとする課題】
特許文献１記載の従来技術では、領域判定結果によって画像データにアフィン変換処理を行うことにより、入力画像中の網点パターンと画像出力時のスクリーン処理との干渉を防ぐことができるものの、接触帯電方式の画像処理装置においては、入力画像中の網点パターンの周期と感光体の帯電むら周期との干渉により発生するモアレを回避することができないという課題がある。
【０００６】
特許文献２記載の従来技術では、網点パターンの周期が画像によって様々である上、ユーザが拡大や縮小等を指定した場合、出力画像の網点パターンの周期がいかようにも変化するため、一定の帯電周波数では全ての原稿で濃度むらの発生を抑えることができないのはもちろん、それぞれの網点パターンの周期に対応した帯電周波数を設定することも困難である。しかも、濃度むら間隔が十分大きくなるような帯電周波数の範囲は狭く、網点パターンの周期が微少にずれただけで濃度むらが大きく変化してしまうため、予定していた濃度むらを抑える効果が得られない場合もある。
【０００７】
本発明は、上記課題に鑑みてなされたものであり、その目的とするところは、原稿画像の周波数と出力装置のスクリーン周波数と帯電器の周波数との干渉により発生するモアレ（濃度むら）を的確に予測し、モアレが目立たない良好な画像を形成可能な画像処理装置を提供することにある。
【０００８】
【課題を解決するための手段】
本発明による画像処理装置は、帯電周波数が可変な帯電手段を有する画像出力手段と、前記画像出力手段で出力する画像データに対してスクリーン処理を施すスクリーン処理手段と、前記スクリーン処理手段でスクリーン処理される前の原稿画像の画像データから当該原稿画像の周波数を検出する検出手段と、前記検出手段で検出した原稿画像の周波数に基づいて、当該原稿画像の周波数と前記スクリーン処理手段のスクリーン周波数と前記耐電手段の周波数との干渉により発生する濃度むらのピッチが小さくなるように帯電周波数を決定して前記帯電手段に設定する帯電周波数決定手段とを備える構成となっている。
【０００９】
上記構成の画像処理装置において、検出手段をスクリーン処理手段よりも上流側に設け、スクリーン処理が施される前の画像データから原稿画像の周波数、即ち網点ピッチ（網点パターンの持つ周期）を検出することで、その検出結果には原稿画像の周波数とスクリーン周波数との干渉要因が含まれないため、最適な検出処理を行うことができる。そして、検出した原稿画像の周波数に基づいて、当該原稿画像の周波数とスクリーン周波数と帯域周波数との干渉により発生する濃度むら（モアレ）のピッチが小さくなるように帯電周波数を決定することで、モアレが目立たない良好な画像を形成できる。
【００１０】
【発明の実施の形態】
以下、本発明の実施の形態について図面を参照して詳細に説明する。
【００１１】
［第１実施形態］
図１は、本発明の第１実施形態に係る画像処理装置の構成例を示すブロック図である。図１から明らかなように、本実施形態に係る画像処理装置は、画像入力装置１１、ＡＤ変換回路１２、色変換回路１３、拡大／縮小回路１４、絵文字分離回路１５、空間フィルター回路１６、色変換回路１７、スクリーン処理回路１８、画像出力装置１９、網点検出回路２０および帯電周波数決定部２１を有する構成となっている。
【００１２】
画像入力装置１１は、例えばＣＣＤ（Ｃｈａｒｇｅ  Ｃｏｕｐｌｅｄ  Ｄｅｖｉｃｅ）イメージセンサ等からなる画像読取装置であり、原稿画像を読み取ることにより得られるＲ（赤）Ｇ（緑）Ｂ（青）のアナログ画像信号を入力する。ＡＤ変換回路１２は、画像入力装置１１から入力されるＲＧＢアナログ画像信号をデジタル画像データに変換する。色変換回路１３は、ＲＧＢの色信号を均等色空間のＬ＊  ａ＊  ｂ＊  の色信号に変換する。拡大／縮小回路１４は、拡大または縮小が指定されたときに、Ｌ＊  ａ＊  ｂ＊  の色信号に対して拡大または縮小のための処理を施す。
【００１３】
絵文字分離回路１５は、Ｌ＊  ａ＊  ｂ＊  のカラースペース上で原稿画像を絵柄部と文字部とに識別することによって絵文字分離を行う。具体的には、例えば、所定の大きさの画素マトリクスブロック内において、画素の濃度レベルの最大値と最小値との差を求め、そのレベル差があらかじめ設定した閾値よりも大きい場合は文字などの二値画像、小さい場合は写真などの中間調画像として識別する。空間フィルター回路１６は、絵文字分離回路１５を経たＬ＊  ａ＊  ｂ＊  の色信号に対して周波数特性を補正するためのフィルタリング処理を施す。
【００１４】
色変換回路１７は、空間フィルター回路１６を経たＬ＊  ａ＊  ｂ＊  の色信号をＹ（イエロー）Ｍ（マゼンタ）Ｃ（シアン）Ｋ（黒）の色信号に変換する。スクリーン処理回路１８は、スクリーン処理によって多値の画像から網点画像を生成する処理を行う。ここでは、スクリーン処理の方法として例えば誤差拡散法を用いており、スクリーン処理における周期性は発生しない。したがって、この例の場合には、スクリーン処理の周期性と帯電むらの周期との干渉については考慮しない。もちろん、周期性を有するスクリーン処理を行う場合には、スクリーン処理の周期性と帯電むらの周期との干渉についても考慮することによって画質の向上を図ることができる。
【００１５】
画像出力装置１９は、スクリーン処理回路１８でスクリーン処理された画像データを用紙等の記録媒体に出力（形成）する。この画像出力装置１９は、例えば図２に示すように、ＹＭＣＫの各色成分ごとに感光体３１−１〜３１−４、帯電部（帯電器）３２−１〜３２−４、レーザ駆動部３３−１〜３３−４および現像部３４−１〜３４−４を有するタンデム型の構成となっている。
【００１６】
このタンデム型の画像出力装置１９では、像担持体である感光体３１−１〜３１−４を帯電部３２−１〜３２−４により帯電した後、形成すべき画像に応じてレーザ駆動部３３−１〜３３−４からレーザ光が感光体３１−１〜３１−４に照射されることによって静電潜像が形成される。その後、現像部３４−１〜３４−４でトナー等の記録材によって静電潜像が現像される。
【００１７】
一方、画像が記録される転写紙は、用紙搬送路３５上を搬送され、さらに転写ベルト３６によって搬送される。そして、転写ベルト３６と感光体３１−１〜３１−４の各々との接点部分においてそれぞれの色成分の画像が転写紙上に順次転写され、重ね合わされていく。色成分ごとの画像が転写されて重ね合わされた転写紙は定着部３７に送られ、ここでトナー像が加熱溶融されて転写紙に固着することにより、最終的な定着画像が得られる。
【００１８】
帯電部３２−１〜３２−４において、感光体３１−１〜３１−４の表面を一様に帯電させるために、図３に示すように、帯電ロール３８を感光体３１（３１−１〜３１−４）の表面に接触させて帯電させる接触帯電方式が採られている。この場合、帯電ロール３８には、電源部３９から直流電圧に交流電圧を重畳させた電圧を印加することになる。この接触帯電方式は、直流電圧により非接触で帯電させる方式に比べてオゾンの発生を低減できるなどの利点がある。
【００１９】
再び図１において、網点検出回路２０は、絵文字分離回路１５から出力される画像データを取り込み、当該画像データから例えばＦＦＴ（Ｆａｓｔ  Ｆｏｕｒｉｅｒ  Ｔｒａｎｓｆｏｒｍ；高速フーリエ変換）により原稿画像の周波数のピーク、具体的にはプロセス方向（感光体３１−１〜３１−４の回転方向）の周波数に対するパワースペクトルを検出する。このパワースペクトルのピークが現れる周波数が、画像中の網点パターンの持つ周波数と考えられる。そして、網点検出回路２０の検出結果は、原稿画像の周波数（網点構造）として帯電周波数決定部２１に与えられる。網点検出回路２０は、拡大／縮小回路１４において拡大／縮小の処理が行われた場合にはその倍率も検出結果に反映させる。
【００２０】
帯電周波数決定部２１は、網点検出回路２０の検出結果、即ち原稿画像の周波数を基に、換言すれば画像中の網点パターンの持つ周期、即ち網点ピッチｓを基に、画像出力装置１９の帯電部３２−１〜３２−４において感光体３１−１〜３１−４を帯電させる際の交流電圧の周波数、即ち帯電周波数を、当該帯域周波数と網点ピッチとスクリーン処理の周期性（スクリーン周波数）との干渉により発生する濃度むら（モアレ）のピッチが小さくなるように決定する。
【００２１】
ここで、帯電周波数をｆ［Ｈｚ］、感光体の回転速度をＶｐ［ｍｍ／ｓｅｃ］とすると、濃度むらピッチＩ［ｍｍ］は、
Ｉ＝１／｜（ｆ／Ｖｐ）−（１／ｓ）｜
なる式で与えられる。このとき、帯電周波数ｆと濃度むらピッチとの関係は、図４に示すように、ある周波数ｆｐ（＝Ｖｐ／ｓ）において最大（理論的には∞）となり、その周波数ｆｐよりも大きな周波数では単調減少、その周波数ｆｐよりも小さな周波数でも単調減少する略山形のグラフになる。ここで、記録紙などの上に形成される画像においてこの濃度むらを目立たなくするためには、濃度むらピッチが認識できない程度に小さくなるように帯電周波数ｆを設定すれば良い。
【００２２】
なお、図４は、帯電周波数ｆとそのときに発生する濃度むらピッチＩとの関係をグラフ化して示した特性図である。網点パターンの持つ周期（網点ピッチ）ｓと帯電むらの周期Ｖｐ／ｆとが一致する場合、即ち帯電周波数ｆ＝Ｖｐ／ｆの場合においては、濃度むらは発生せず、濃度むらピッチは理論上無限大となる。そして、網点パターンの持つ周期ｓと帯電むらの周期Ｖｐ／ｆとが異なると、そのときの帯電周波数ｆによって帯電むらピッチが変化することになる。
【００２３】
ここで、一具体例として、モノクロで印刷された印刷物を複写する場合を例に挙げて説明する。この印刷物のスクリーンは、図５に示すように、線数が１７５線、角度が４５度のドットスクリーンで印刷されているものとする。なお、印刷物の読み取り時の解像度は十分であるものとし、網点は読み取り後の画像においても反映されているものとする。また、ここでは拡大あるいは縮小の処理は行わないものとする。
【００２４】
このような網点パターンが存在する画像を画像出力装置１９において用紙上に形成する場合を考える。図５に示す網点パターンにおいては、網点ピッチ（網点パターンの持つ周期）ｓは０．１０［ｍｍ］となる。また、画像出力装置１９における感光体の回転速度ＶｐをＶｐ＝１００［ｍｍ／ｓｅｃ］としたとき、帯電周波数ｆと濃度むらピッチＩとの関係は、図６に示すように予測される。
【００２５】
上述したことから明らかなように、帯電周波数決定部２１では、濃度むらピッチＩがユーザによって認識できない程度に小さくなるように帯電周波数ｆを設定すれば良い。具体的には、濃度むらピッチＩをＩ＜０．５［ｍｍ］程度にできれば良く、そのためには、帯電周波数ｆを８００［Ｈｚ］程度よりも低く設定するか、あるいは１２００［Ｈｚ］程度よりも高く設定すれば良い。このように、原稿画像の周波数、即ち画像中に存在する網点パターンのピッチに応じて帯電周波数ｆを設定することにより、画像出力装置１９において、濃度むら（モアレ）の目立たない良好な画像を形成することができる。
【００２６】
また、濃度むらが小さい領域では、多少の帯電周波数のずれが生じた場合や、網点検出回路２０において検出した網点ピッチｓに誤差が生じた場合でも、濃度むらのピッチに与える影響は少ない。したがって、これらの誤差などの要因による濃度むらの現出を抑えることができる。それと共に、帯電周波数の選択範囲が広いので、次の示す具体例のように、いくつかの固定した帯電周波数の中から選択するなど、簡易な構成を採用することが可能である。
【００２７】
具体例として、画像出力装置１９の帯電部において、帯電周波数ｆをｆ１＝７００［Ｈｚ］，ｆ２＝１１００［Ｈｚ］から選択可能である場合を考える。このような場合、図６の特性図から明らかなように、帯電周波数ｆとしてｆ１を選択した方が濃度むらピッチは小さくなる。よって、帯電周波数ｆとして７００［Ｈｚ］を設定することで、濃度むらの発生を抑えることができる。その際、画像出力装置１９では、帯電周波数決定部２１で設定される７００［Ｈｚ］の帯電周波数ｆの交流電圧を直流電圧に重畳して感光体の帯電を行えば良い。
【００２８】
図７は、帯電周波数ｆと濃度むらピッチＩとの関係の他の具体例の特性図である。図６の特性図では、網点ピッチｓ＝０．１０［ｍｍ］の場合を例にとって示した。しかし、画像中に存在する網点パターンは、この例に限られるものではない。例えば、網点ピッチｓが大きくなると、図６に示したグラフのピーク（理論的には∞）は左に移動し、図７（Ａ）に示すようになる。逆に、網点ピッチｓが小さくなると、図６に示したグラフのピークは右に移動し、図７（Ｂ）に示すようになる。
【００２９】
例えば、図７（Ａ）に示すような帯域周波数ｆと濃度むらピッチＩとの関係が得られている場合には、帯電周波数ｆとしてほぼ６００［Ｈｚ］程度より低い周波数、あるいは１０００［Ｈｚ］程度より高い周波数を設定すると良い。具体的には、上述したように、帯電周波数ｆをｆ１＝７００［Ｈｚ］，ｆ２＝１１００［Ｈｚ］から選択可能である場合には、帯電周波数ｆとしてｆ２を選択すれば良い。
【００３０】
同様に、図７（Ｂ）に示すような帯域周波数ｆと濃度むらピッチＩとの関係が得られている場合には、帯電周波数ｆとしてほぼ９００［Ｈｚ］程度より低い周波数、あるいは１３００［Ｈｚ］程度より高い周波数を設定すると良い。具体的には、上述したように、帯電周波数ｆをｆ１＝７００［Ｈｚ］，ｆ２＝１１００［Ｈｚ］から選択可能である場合には、帯電周波数ｆとしてｆ１を選択すれば良い。
【００３１】
このように、画像出力装置１９の帯電部において、複数の帯電周波数を切り替え可能に構成されている場合、切り替え可能な複数の帯域周波数のうち、濃度むらピッチが最小となる帯域周波数を使用するように決定し、当該帯域周波数を帯電部に対して設定すれば良い。上述した具体例では、７００［Ｈｚ］と１１００［Ｈｚ］の２つのいずれかを選択するとしたが、３つ以上の帯電周波数から選択するようにしても良いし、また選択可能な帯域周波数も任意である。このような帯域周波数の選択を行う構成を採ることにより、任意の帯域周波数を設定する構成を採る場合に比べて、簡易な回路構成で実現可能である。
【００３２】
なお、選択する帯域周波数ｆについては、画像出力装置１９における感光体の回転速度Ｖｐが固定されていれば網点ピッチｓによって決定することができる。例えば、あらかじめ網点ピッチｓと選択する帯域周波数との対応表を作成しておき、網点検出回路２０で検出された網点ピッチｓに基づいて対応表を参照し、帯域周波数ｆを決定するように構成することができる。もちろん、このような方法に限らず、所定の計算式を用いて計算して帯域周波数ｆを決定するなど、種々の方法を用いることができる。
【００３３】
上述したように、接触帯電方式の第１実施形態に係る画像処理装置において、網点検出回路２０をスクリーン処理回路１８よりも上流側に設け、スクリーン処理が施される前の画像データから原稿画像の周波数（網点構造）、即ち網点ピッチ（網点パターンの持つ周期）を検出することにより、その検出結果には原稿画像の周波数とスクリーン処理の周期性（スクリーン周波数）との干渉要因が含まれないため、最適な検出処理を行うことができる。そして、検出した原稿画像の周波数に基づいて、当該原稿画像の周波数（網点ピッチ）とスクリーン処理の周期性（スクリーン周波数）と帯域周波数との干渉により発生する濃度むら（モアレ）のピッチが小さくなるように帯電周波数を決定することにより、モアレが目立たない良好な画像を形成することができる。
【００３４】
換言すれば、原稿画像の周波数をスクリーン処理後の画像データから検出するものとすると、その検出結果には原稿画像の周波数とスクリーン処理の周期性との干渉要因が含まれるため、最適な検出処理を行うことができない。これに対して、スクリーン処理が施される前の画像データから原稿画像の周波数を検出することで、原稿画像の周波数とスクリーン周波数と帯電周波数との干渉により発生する濃度むら（モアレ）を的確に予測することができることになる。
【００３５】
［第２実施形態］
図８は、本発明の第２実施形態に係る画像処理装置の構成例を示すブロック図であり、図中、図１と同等部分には同一符号を付して示している。本実施形態に係る画像処理装置では、絵文字分離回路４０として網点検出機能を併せ持つ構成の既存のものを用い、この絵文字分離回路４０の網点検出機能を利用して原稿画像の周波数のピークを検出する構成を採っている。
【００３６】
図９は、網点検出機能を持つ絵文字分離回路４０の構成の一例を示すブロック図である。図９から明らかなように、本例に係る絵文字分離回路４０は、文字抽出部４０１、網点抽出部４０２およびタグ（Ｔａｇ）発生部４０３を有する構成となっている。
【００３７】
文字抽出部４０１および網点抽出部４０２には、Ｌ＊  ａ＊  ｂ＊  の色信号のうちの明度を表すＬ＊  信号が入力される。文字抽出部４０１は、例えば、所定の大きさの画素マトリクスブロック内において、画素の濃度レベルの最大値と最小値との差を求め、そのレベル差があらかじめ設定した閾値よりも大きい場合に文字として抽出する。
【００３８】
網点抽出部４０２は、例えば図１０に示すような５×５のウィンドウ内の中心画素のデータから各上下左右斜め方向の画素のデータとの差分を求め、その差分をあらかじめ設定された閾値（ｔｈ）と比較し、この比較結果により網点であるか否かを判定する。具体的には、図１０において、中心画素のデータｉと左斜め上の画素のデータａとの差分｜ｉ−ａ｜が閾値ｔｈ以上のときに網点と判定して論理“１”を出力し、それ以外のときに論理“０”を出力する。
【００３９】
以下同様にして、中心画素のデータｉに対する真ん中上端の画素のデータｂ、右斜め上の画素のデータｃ、真ん中左端の画素のデータｄ、真中右端の画素のデータｅ、左斜め下の画素のデータｆ、真ん中下端の画素のデータｇ、右斜め下の画素のデータｈとの差分を閾値ｔｈと比較し、その比較結果から網点であるか否かを判定する。５×５ウィンドウをさらに大きくすればその分だけ精度良く網点判定を行うことができる。
【００４０】
この２つの抽出部、即ち文字抽出部４０１および網点抽出部４０２によって抽出された信号を基に、例えば文字抽出かつ非網点抽出の場合は文字信号、文字抽出かつ網点抽出の場合は写真信号、非文字抽出の場合は写真信号というように文字信号と写真信号というタグ（Ｔａｇ）信号を生成して後処理へと渡す。
【００４１】
本実施形態ではさらに、網点抽出部４０２で原稿画像の周波数を検出するために、当該網点抽出部４０２に複数の閾値（ｔｈ１，ｔｈ２，ｔｈ３，…）を閾値設定部４２から与えてやり、それらの比較結果よりカウンタ部４１で原稿画像の周波数のピークを求める。そして、その求めた結果を原稿画像の周波数として帯電周波数決定部２１に与え、第１実施形態の場合と同様に、検出した原稿画像の周波数に基づいて帯電周波数を設定することにより、モアレが目立たない良好な画像を形成することができる。
【００４２】
上述したように、第２実施形態に係る画像処理装置においても、スクリーン処理が施される前の画像データから原稿画像の周波数（網点構造）、即ち網点ピッチ（網点パターンの持つ周期）を検出することができるため、その検出結果に基づいて帯電周波数を設定することにより、第１実施形態の場合と同様に、モアレが目立たない良好な画像を形成することができることに加えて、原稿画像の周波数を検出するのに、網点検出機能を併せ持つ既存の絵文字分離回路４０を用いているため、カウンタ部４１や閾値設定部４２を追加するだけの簡単な回路構成にて所期の目的を達成することができる。
【００４３】
【発明の効果】
以上説明したように、本発明によれば、接触帯電方式の第１実施形態に係る画像処理装置において、スクリーン処理が施される前の画像データから原稿画像の周波数、即ち網点ピッチ（網点パターンの持つ周期）を検出することにより、その検出結果には原稿画像の周波数とスクリーン周波数との干渉要因が含まれないため最適な検出処理を行うことができるとともに、その検出した原稿画像の周波数に基づいて、当該原稿画像の周波数とスクリーン周波数と帯域周波数との干渉により発生する濃度むら（モアレ）のピッチが小さくなるように帯電周波数を決定することで、モアレが目立たない良好な画像を形成できる。
【図面の簡単な説明】
【図１】本発明の第１実施形態に係る画像処理装置の構成例を示すブロック図である。
【図２】タンデム型画像出力装置の一例を示す概略構成図である。
【図３】帯電部の一例を示す概略構成図である。
【図４】帯電周波数と濃度むらピッチの関係の一例を示す特性図である。
【図５】網点パターンの一例を示す図である。
【図６】帯電周波数と濃度むらピッチの関係の一具体例を示す特性図である。
【図７】帯電周波数と濃度むらピッチの関係の他の具体例を示す特性図である。
【図８】本発明の第２実施形態に係る画像処理装置の構成例を示すブロック図である。
【図９】網点検出機能を持つ絵文字分離回路の構成の一例を示すブロック図である。
【図１０】網点抽出の説明図である。
【符号の説明】
１１…画像入力装置、１４…拡大／縮小回路、１５，４０…絵文字分離回路、１８…スクリーン処理回路、１９…画像出力装置、２０…網点検出回路、２１…帯域周波数決定部
【図１】
2005012624.tif 000003
【図２】
2005012624.tif 000004
【図３】
2005012624.tif 000005
【図４】
2005012624.tif 000006
【図５】
2005012624.tif 000007
【図６】
2005012624.tif 000008
【図７】
2005012624.tif 000009
【図８】
2005012624.tif 000010
【図９】
2005012624.tif 000011
【図１０】
2005012624.tif 000012